(57)【要約】【課題】利用者の所在に関する情報を提供することが可能な改札システム及び改札方法を提供すること。【解決手段】改札機１００において、券媒体から改札処理に必要な改札情報を読み取り、読み取られた改札情報に基づいて、利用者の改札通路の通行を許可するか否かを判定する改札処理を行い、  センターサーバ１０において、改札処理により通行を許可する旨の判定がなされたのに基づき、前記改札処理が行われた改札駅情報及び改札時刻情報を含む利用情報を予め登録された所定アドレスに通知する、ことを特徴とする。【選択図】      図１
2008071292.tif 000002
【特許請求の範囲】
【請求項１】
券媒体から改札処理に必要な改札情報を読み取る読取手段と、
前記読取手段により読み取られた改札情報に基づいて、利用者の改札通路の通行を許可するか否かを判定する改札処理を行う改札手段と、
前記改札手段による改札処理により通行を許可する旨の判定がなされたのに基づき、前記改札手段による改札処理が行われた改札駅情報及び改札時刻情報を含む利用情報を予め登録された所定アドレスに通知する通知手段と、
を備えたことを特徴とする改札システム。
【請求項２】
券媒体から定期区間情報を含む改札処理に必要な改札情報を読み取る読取手段と、
前記読取手段により読み取られた改札情報に基づいて、利用者の駅構内への入場を許可するか否かを判定する改札処理を行う改札手段と、
前記改札手段による改札処理により入場を許可する旨の判定がなされたのに基づき、前記改札手段による改札処理が行われた改札時刻及び前記改札情報に含まれる定期区間情報に基づいて利用可能な列車での定期区間内の出場駅への到着予定時刻情報を含む利用情報を予め登録された所定アドレスに通知する通知手段と、
を備えたことを特徴とする改札システム。
【請求項３】
さらに、利用者に対して前記通知手段により利用情報を所定アドレスに通知した旨を案内する案内手段を備えたことを特徴とする請求項１または２に記載の改札システム。
【請求項４】
券媒体から定期区間情報を含む改札処理に必要な改札情報に基づいて改札処理を行う改札システムであって、
前記改札情報に基づいて、利用者の入場駅構内への入場を許可するか否かを判定する第１改札手段と、
前記第１改札手段による改札処理により入場を許可する旨の判定がなされたのに基づき、予め登録された出場駅への到着予定時刻情報を記憶する記憶手段と、
前記改札情報に基づいて、利用者の出場駅構内からの出場を許可するか否かを判定する第２改札手段と、
前記記憶手段により記憶された到着予定時刻情報に基づき、到着予定時刻から所定時間内に前記第２改札手段により改札処理が行われたか否かを判断する判断手段と、
前記判断手段により所定時間内に前記第２改札手段による改札処理が行われなかったと判断されたのに基づき、予め登録された所定アドレスに警告を通知する通知手段と、
を備えたことを特徴とする改札システム。
【請求項５】
券媒体から改札処理に必要な改札情報を読み取る読取手段と、
前記読取手段により読み取られた改札情報に基づいて、利用者の改札通路の通行を許可するか否かを判定する改札処理を行う改札手段と、
前記改札手段による改札処理により通行を許可する旨の判定がなされたのに基づき、前記改札手段による改札処理が行われた改札駅情報及び改札時刻情報を含む利用情報を利用者固有の識別情報に関連付けて記憶する記憶手段と、
前記記憶手段に記憶された利用情報を識別情報に基づいて検索する検索手段と、
を備えたことを特徴とする改札システム。
【請求項６】
券媒体から改札処理に必要な改札情報を読み取り、
読み取られた改札情報に基づいて、利用者の改札通路の通行を許可するか否かを判定する改札処理を行い、
改札処理により通行を許可する旨の判定がなされたのに基づき、前記改札処理が行われた改札駅情報及び改札時刻情報を含む利用情報を予め登録された所定アドレスに通知する、ことを特徴とする改札方法。
【請求項７】
券媒体から定期区間情報を含む改札処理に必要な改札情報を読み取り、
読み取られた改札情報に基づいて、利用者の駅構内への入場を許可するか否かを判定する改札処理を行い、
改札処理により入場を許可する旨の判定がなされたのに基づき、前記改札処理が行われた改札時刻及び前記改札情報に含まれる定期区間情報に基づいて利用可能な列車での定期区間内の出場駅への到着予定時刻情報を含む利用情報を予め登録された所定アドレスに通知する、ことを特徴とする改札方法。
【請求項８】
券媒体から定期区間情報を含む改札処理に必要な改札情報に基づいて改札処理を行う改札システムに適用可能な改札方法であって、
前記改札情報に基づいて、利用者の入場駅構内への入場を許可するか否かを判定し、
前記入場駅での改札処理により入場を許可する旨の判定がなされたのに基づき、予め登録された出場駅への到着予定時刻情報を記憶手段に記憶し、
前記改札情報に基づいて、利用者の出場駅構内からの出場を許可するか否かを判定し、
前記記憶手段により記憶された到着予定時刻情報に基づき、到着予定時刻から所定時間内に前記出場駅での改札処理が行われたか否かを判断し、
所定時間内に前記出場駅での改札処理が行われなかったと判断されたのに基づき、予め登録された所定アドレスに警告を通知する、ことを特徴とする改札方法。
【請求項９】
券媒体から改札処理に必要な改札情報を読み取り、
読み取られた改札情報に基づいて、利用者の改札通路の通行を許可するか否かを判定する改札処理を行い、
改札処理により通行を許可する旨の判定がなされたのに基づき、前記改札処理が行われた改札駅情報及び改札時刻情報を含む利用情報を利用者固有の識別情報に関連付けて記憶手段に記憶し、
前記記憶手段に記憶された利用情報を識別情報に基づいて検索する、ことを特徴とする改札方法。
【発明の詳細な説明】
【技術分野】
【０００１】
この発明は、改札システム及び改札方法に係り、特に、改札機による改札処理が行われたのに基づき予め登録された所定アドレスに改札機の利用情報を通知する改札システム及び改札方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を取り込み、券媒体に磁気記録された改札情報に基づいて利用者の改札通路の通行を許可するか否かの改札処理を行う。取り込んだ券媒体は、必要に応じて返却または回収される。
【０００３】
最近では、複数枚の券媒体に対応した改札機も実用化されている。このような改札機は、１人の利用者から投入される複数枚の磁気式の券媒体を受け取り、各券媒体に記憶された改札情報に基づいて、利用者の通行の可否を総合的に判定し、取り込んだ券媒体を必要に応じて返却または回収する。
【０００４】
さらに近年では、磁気式の券媒体以外にも無線式の券媒体を取り扱う改札機も実用化されている。このような改札機は、無線式の券媒体による改札処理を行う。つまり、このような改札機は、無線式の券媒体との間で無線通信を行い、券媒体に記憶された改札情報に基づいて利用者の通行の可否を判定する。
【０００５】
改札機の普及に伴い、磁気式や無線式の券媒体を利用する利用者に対する更なるサービスの提供が望まれている。例えば、無線式の券媒体を利用して改札機を利用した際に伝言を配信するサービス（例えば、特許文献１参照）や、定期券の区間外の駅を利用する場合に当該駅の交通機関の発車時刻や自宅の最寄り駅等の目的地までの経路に関する情報を提供するサービス（例えば、特許文献２参照）などが提案されている。
【特許文献１】特開２００５−１９６３９３号公報
【特許文献２】特許２００５−１０７８３６号公報
【発明の開示】
【発明が解決しようとする課題】
【０００６】
さらに、磁気式や無線式の券媒体を利用する利用者のみならず、利用者の家族や利用者が所属する会社などに対するサービスの提供も望まれている。
【０００７】
この発明は、上述した問題点に鑑みなされたものであって、その目的は、利用者の所在に関する情報を提供することが可能な改札システム及び改札方法を提供することにある。
【課題を解決するための手段】
【０００８】
この発明の第１の態様による改札システムは、
券媒体から改札処理に必要な改札情報を読み取る読取手段と、
前記読取手段により読み取られた改札情報に基づいて、利用者の改札通路の通行を許可するか否かを判定する改札処理を行う改札手段と、
前記改札手段による改札処理により通行を許可する旨の判定がなされたのに基づき、前記改札手段による改札処理が行われた改札駅情報及び改札時刻情報を含む利用情報を予め登録された所定アドレスに通知する通知手段と、
を備えたことを特徴とする。
【０００９】
この発明の第２の態様による改札システムは、
券媒体から定期区間情報を含む改札処理に必要な改札情報を読み取る読取手段と、
前記読取手段により読み取られた改札情報に基づいて、利用者の駅構内への入場を許可するか否かを判定する改札処理を行う改札手段と、
前記改札手段による改札処理により入場を許可する旨の判定がなされたのに基づき、前記改札手段による改札処理が行われた改札時刻及び前記改札情報に含まれる定期区間情報に基づいて利用可能な列車での定期区間内の出場駅への到着予定時刻情報を含む利用情報を予め登録された所定アドレスに通知する通知手段と、
を備えたことを特徴とする。
【００１０】
この発明の第３の態様による改札システムは、
券媒体から定期区間情報を含む改札処理に必要な改札情報に基づいて改札処理を行う改札システムであって、
前記改札情報に基づいて、利用者の入場駅構内への入場を許可するか否かを判定する第１改札手段と、
前記第１改札手段による改札処理により入場を許可する旨の判定がなされたのに基づき、予め登録された出場駅への到着予定時刻情報を記憶する記憶手段と、
前記改札情報に基づいて、利用者の出場駅構内からの出場を許可するか否かを判定する第２改札手段と、
前記記憶手段により記憶された到着予定時刻情報に基づき、到着予定時刻から所定時間内に前記第２改札手段により改札処理が行われたか否かを判断する判断手段と、
前記判断手段により所定時間内に前記第２改札手段による改札処理が行われなかったと判断されたのに基づき、予め登録された所定アドレスに警告を通知する通知手段と、
を備えたことを特徴とする。
【００１１】
この発明の第４の態様による改札方法は、
券媒体から改札処理に必要な改札情報を読み取り、
読み取られた改札情報に基づいて、利用者の改札通路の通行を許可するか否かを判定する改札処理を行い、
改札処理により通行を許可する旨の判定がなされたのに基づき、前記改札処理が行われた改札駅情報及び改札時刻情報を含む利用情報を予め登録された所定アドレスに通知する、ことを特徴とする。
【００１２】
この発明の第５の態様による改札方法は、
券媒体から定期区間情報を含む改札処理に必要な改札情報を読み取り、
読み取られた改札情報に基づいて、利用者の駅構内への入場を許可するか否かを判定する改札処理を行い、
改札処理により入場を許可する旨の判定がなされたのに基づき、前記改札処理が行われた改札時刻及び前記改札情報に含まれる定期区間情報に基づいて利用可能な列車での定期区間内の出場駅への到着予定時刻情報を含む利用情報を予め登録された所定アドレスに通知する、ことを特徴とする。
【００１３】
この発明の第６の態様による改札方法は、
券媒体から定期区間情報を含む改札処理に必要な改札情報に基づいて改札処理を行う改札システムに適用可能な改札方法であって、
前記改札情報に基づいて、利用者の入場駅構内への入場を許可するか否かを判定し、
前記入場駅での改札処理により入場を許可する旨の判定がなされたのに基づき、予め登録された出場駅への到着予定時刻情報を記憶手段に記憶し、
前記改札情報に基づいて、利用者の出場駅構内からの出場を許可するか否かを判定し、
前記記憶手段により記憶された到着予定時刻情報に基づき、到着予定時刻から所定時間内に前記出場駅での改札処理が行われたか否かを判断し、
所定時間内に前記出場駅での改札処理が行われなかったと判断されたのに基づき、予め登録された所定アドレスに警告を通知する、ことを特徴とする。
【発明の効果】
【００１４】
この発明によれば、利用者の所在に関する情報を提供することが可能な改札システム及び改札方法を提供することができる。
【発明を実施するための最良の形態】
【００１５】
以下、この発明の一実施の形態に係る改札システム及び改札方法について図面を参照して説明する。
【００１６】
まず、この実施の形態に係る改札システムの概要について説明する。
【００１７】
図１に示すように、鉄道会社のセンターサーバ１０は、例えば、インターネット網を介してユーザ個人のパーソナルコンピュータや携帯電話などの携帯端末機器に接続可能な環境下にあるものとする。また、センターサーバは、各駅に設置された駅務機器制御装置と接続されている。駅務機器制御装置は、当該駅に設置された改札機１００をはじめとする券売機や精算機、定期券発行機などの各種駅務機器と接続され、これらを管理する。また、これらの駅務機器は、データ集計機とも接続されている。データ集計機は、駅単位で必要なデータを集計し、集計したデータをセンターサーバに送信する。
【００１８】
センターサーバ１０には、登録者情報データベースＤＢ１、入出場管理データベースＤＢ２、運行状況管理データベースＤＢ３、到着時間検索データベースＤＢ４等、記憶手段として機能する複数のデータベース（ＤＢ）が存在する。
【００１９】
登録者情報データベースＤＢ１には、例えば、図２に示すように、改札機の利用情報を通知することを予め登録している利用者（登録者）に関する情報が記憶されている。具体的には、この登録者情報データベースＤＢ１には、登録者のユーザＩＤ（利用者固有の識別情報）、有効期間、定期区間、出場駅、連絡先アドレス、パスワード（利用者固有の識別情報）などの各種情報が記憶されている。
【００２０】
入出場管理データベースＤＢ２には、例えば、図３に示すように、予め登録している利用者（登録者）が改札機を利用した際の利用情報が記憶されている。具体的には、この入出場管理データベースＤＢ２には、登録者が改札機１００を利用した際に、改札通路の通行を許可された場合（すなわち駅構内への入場が許可された場合または駅構内からの出場が許可された場合）、当該改札処理が行われた改札駅及びその改札時刻に関する情報を含む利用情報が記憶される。なお、図３に示した例では、登録者毎に入場情報及び出場情報が記憶され、これらについてはそれぞれ改札駅情報、改札日付情報、及び、改札時刻情報によって構成されている。
【００２１】
運行状況管理データベースＤＢ３は、列車の運行状況を管理するものであり、各種路線の時刻表データなどを記憶している。到着時間検索データベースＤＢ４は、入場駅から出場駅までの最短到達時間や、登録者の乗車予想列車及びその発車時刻、出場駅への到達予定時刻などを検索する機能を有しており、その検索結果を記憶する。
【００２２】
また、センターサーバ１０には、通知手段として機能する情報通知システム１２、判断手段として機能する出場判断システム１３、検索手段として機能する情報検索システム１４などが搭載されている。
【００２３】
情報通知システム１２は、登録者が改札機１００を利用して改札通路を通行した際に、利用情報を登録者情報データベースＤＢ１に予め登録されたアドレスに通知する機能を有している。ここでの利用情報とは、例えば改札駅情報及び改札時刻情報を含む情報であったり、登録者が利用可能な列車での定期区間内の出場駅への到着予定時刻情報を含む情報であったり、到着予定時刻から所定時間を経過しても出場駅にて改札処理が行われなかった場合の警告を含む情報などであったりする。
【００２４】
出場判断システム１３は、到着時間検索データベースＤＢ４に記憶された検索結果すなわち登録者の出場駅への到着予定時刻情報に基づき、到着予定時刻から所定時間内に出場駅にて登録者の改札処理が行われたか否かを判断する機能を有している。この出場判断システム１３が所定時間内に出場駅の改札機１００による改札処理が行われなかったと判断した場合には、情報通知システム１２に対して所定アドレスに警告を含む情報を通知するような指示を出力する。
【００２５】
情報検索システム１４は、センターサーバ１０とユーザとをインターネット網を介して接続可能とする機能を有している。すなわち、ユーザによりインターネット網を介して登録者の利用情報に関する問い合わせを受け付けた場合に、情報検索システム１４は、検索専用のホームページを提供し、登録者固有の識別情報（ユーザＩＤやパスワード）の入力を受け付ける。この識別情報の入力に基づき、情報検索システム１４は、登録者情報データベースＤＢ１を検索し、該当する登録者の有無を確認する。そして、情報検索システム１４は、該当する登録者が存在することを確認したうえで、入出場管理データベースＤＢ２を検索し、該当する登録者の入場情報及び出場情報をユーザに出力する。
【００２６】
次に、図１に示した改札システムに適用可能な改札機１００の構成について説明する。図４に示すような改札機１００は、利用者が通行可能な改札通路に沿って配置されている。入場処理や出場処理などの改札処理を行う改札機１００で利用可能な券媒体としては、普通乗車券、定期券、特急券、回数券、入場券、プリペイドカードなどの機能を有する券媒体であり、無線式の券媒体及び磁気式の券媒体のいずれも対象となる。なお、無線式の券媒体とは、改札機１００側との無線通信が可能なＩＣチップを内蔵した携帯電話などの携帯端末機器、ＩＣチップを内蔵したＩＣカードなどである。
【００２７】
これら券媒体は、券媒体固有の識別情報や、改札処理に必要な改札情報などを有している。改札情報としては、例えば、利用可能な定期区間情報、有効期限情報、入場記録情報、出場記録情報、利用者情報などを有している。このような識別情報や改札情報などの各種情報は、無線式券媒体のメモリ部に所定形式で記憶されている。磁気式券媒体では、識別情報や改札情報などの各種情報は、その券面の磁気記録層に所定形式で磁気記録されている。
【００２８】
すなわち、図４に示すように、改札機１００は、筐体１を備えている。改札機１００の筐体１は、投入口２、取出口３、表示部４、ドア機構５、フレーム６、人間検知センサ７、表示器８、無線通信処理ユニット１１０などを備えている。投入口２は、筐体１における通行方向上流側に設けられ、駅構内への入場時または駅構内からの出場時に投入された磁気式の券媒体を受け取り可能である。投入口２の近傍には、券媒体の投入を阻止するためのシャッタが設けられている。また、取出口３は、筐体１における通行方向下流側に設けられ、投入口２から受け取った券媒体を必要に応じて排出する。
【００２９】
表示部４は、利用者の通行方向に対して筐体１における取出口３の前方に配置され、利用者や係員などに対して種々の情報を表示する。ドア機構５は、筐体１における改札通路側の側面に設置され、利用者の通行を制御するために開閉可能に構成されている。このドア機構５は、利用者の通行を可能とする場合（改札処理における判定ＯＫの場合）に改札通路を開放し、また、利用者の通行を阻止する場合（改札処理における判定ＮＧの場合）に改札通路を閉鎖する。
【００３０】
フレーム６は、筐体１の上部に設けられ、改札通路を規定するための仕切りとなる。複数の人間検知センサ７は、筐体１及びフレーム６の改札通路側における側面部に設置されている。これらの人間検知センサ７は、利用者の通行（改札通路内の所定位置での利用者の有無）を検知するための出力信号を出力する。表示器８は、フレーム６に配置され、小児券、無効券、または異常券の投入や、機器の異常など装置の動作状態を報知する。
【００３１】
無線通信処理ユニット１１０は、筐体１における通行方向上流側に配置され、無線式の券媒体との間で無線通信を行う。
【００３２】
図５に示すように、改札機は、装置全体の制御を司るＣＰＵ６０を備えている。このＣＰＵ６０は、券媒体が有する改札情報に基づいて改札処理を行う改札手段（または、第１改札手段、第２改札手段）として機能する。
【００３３】
このＣＰＵ６０には、メモリ部６１、表示制御回路６２、ドア制御回路６３、通過検知回路６４、表示器制御回路６５、音声出力制御回路６６などが接続されている。
【００３４】
メモリ部６１は、ＲＯＭ（read only memory）、ＲＡＭ（random access memory）、運賃メモリなどを含んでいる。ＲＯＭは、ＣＰＵ６０の制御プログラムなどを記憶している。ＲＡＭは、制御プログラムのバッファとして情報を記憶するとともに、券媒体から読み取った情報などの各種情報を記憶する。運賃メモリは、入場駅から設置駅までの利用額に対応した運賃情報を記憶している。
【００３５】
表示制御回路６２は、操作案内や改札処理の結果などに対応した画像を表示するように表示部４を制御する。この表示制御回路６２は、表示部４を伴い、各種案内画面を表示する案内手段として機能する。ドア制御回路６３は、改札処理の結果に対応して改札通路を開閉するようにドア機構５の駆動を制御する。通過検知回路６４は、人間検知センサ７からの出力信号に基づいて利用者の通過（移動位置）を検知する。表示器制御回路６５は、改札機の動作状態などに応じたパターンで点灯するように表示器８を制御する。音声出力制御回路６６は、操作案内や改札処理の結果などに対応した音声を出力するようにスピーカ８０を駆動する。この音声出力制御回路６６は、スピーカ８０を伴い、案内音声を出力する案内手段として機能する。
【００３６】
また、ＣＰＵ６０には、磁気式の券媒体を処理する磁気処理ユニット６７、無線式の券媒体を処理する無線通信処理ユニット１１０などが接続されている。
【００３７】
磁気処理ユニット６７は、シャッタ開閉機構３０、検知器３１、搬送機構３２、読取ヘッド３３、書込ヘッド３４、印刷機構３５、入鋏機構３６などを備えている。
【００３８】
シャッタ開閉機構３０は、投入口２に設けられたシャッタを駆動して、券媒体の投入口２への投入を許可または阻止する。検知器３１は、投入口２から取出口３までの間に規定される搬送経路上に設けられ、投入口２での券媒体の投入状態や、取出口３での券媒体の抜き取り、搬送経路上での券媒体の搬送状態などを検知する。搬送機構３２は、券媒体を搬送経路に沿って搬送する。読取ヘッド３３は、券媒体の磁気記録層に記録されている情報を読み取る。このような読取ヘッド３３は、磁気式の券媒体から改札処理に必要な改札情報を読み取る読取手段として機能する。書込ヘッド３４は、券媒体の磁気記録層に対して必要に応じて所定の磁気情報（例えば、入場記録情報や出場記録情報、改札処理の結果に対応した情報など）を記録する。印刷機構３５は、券媒体に対して必要に応じて日付や改札場所名等の所定の情報を印刷する。入鋏機構３６は、券媒体に対して必要に応じて穿孔を形成する。
【００３９】
無線通信処理ユニット１１０は、無線通信可能な通信エリアに翳された無線式の券媒体との間で無線通信を行う機能を有している。また、この無線通信処理ユニット１１０は、無線式の券媒体から改札処理に必要な情報を読み取る読取手段として機能するとともに、改札処理の結果に対応した情報など種々の情報を無線式の券媒体に書き込む機能を有している。
【００４０】
ＣＰＵ６０は、利用者が所持する各種券媒体からこれらの磁気処理ユニット６７及び無線通信処理ユニット１１０を介して読み取った改札情報に基づいて改札処理を行い、利用者の改札通路の通行を許可できるか否かを判定する改札処理を行う。
【００４１】
さらに、ＣＰＵ６０には、通信制御部６９などが接続されている。通信制御部６９は、ＣＰＵ６０の制御に基づき、改札機１００より上位の機器、例えば駅務機器制御装置やデータ集計機との間で情報通信を行う機能を有しており、改札処理の結果や登録者の改札機の利用情報などを通知する。
【００４２】
次に、上述した改札システムに適用可能な改札方法について説明する。まず、はじめに、利用者の登録方法について説明する。
【００４３】
改札機の利用情報の通知を希望する利用者は、券売機や定期券発行機などを利用して券媒体の購入する時に、サービスの利用を申請する。このとき、ユーザＩＤ、パスワード、情報の通知先である連絡先アドレス、定期区間などの必要な情報を登録する。また、このとき、出場駅を予め登録しておくことも可能である。そして、券売機及び定期券発行機は、改札情報のほかに、券媒体固有のユーザＩＤや、登録済みである旨の登録済情報を有する券媒体を発行する。
【００４４】
また、券売機及び定期券発行機は、駅務機器制御装置を経由して、センターサーバ１０に登録した情報を送信する。センターサーバ１０は、券売機及び定期券発行機から送信された情報を登録者情報として登録者情報データベースＤＢ１に記憶する。なお、登録者からサービスの中止要求を受け付けた場合には、券売機及び定期券発行機を介して登録者情報データベースＤＢ１から該当する登録者情報を削除する。
【００４５】
次に、利用情報を通知する第１改札方法について説明する。ここでは、図６に示すように、登録者が登録済情報を有する券媒体を利用して、路線Ｘ上のＡ駅から入場し、Ｂ駅から出場する場合を例に説明する。なお、この第１改札方法は、Ａ駅での入場処理及びＢ駅での出場処理にそれぞれ適用可能である。
【００４６】
すなわち、図７に示すように、改札機１００のＣＰＵ６０は、磁気処理ユニット６７または無線通信処理ユニット１１０を制御して券媒体から改札処理に必要な改札情報を読み取る（ＳＴ１１）。このとき、ＣＰＵ６０は、券媒体から改札情報のほかに含まれている情報、例えばユーザＩＤや登録済情報なども読み取る。
【００４７】
そして、ＣＰＵ６０は、読み取られた改札情報に基づいて登録者の改札通路の通行の可否を判定する改札処理を行う（ＳＴ１２）。ＣＰＵ６０は、改札処理の結果、登録者の通行を許可しない旨の判定（判定ＮＧ）を行った場合には（ＳＴ１２、Ｎ）、ドア制御回路６３を制御してドア機構５を駆動し、改札通路を閉鎖する（ＳＴ１３）とともに、表示制御回路６２を制御して表示部４に案内画面を表示する。
【００４８】
一方、ＣＰＵ６０は、改札処理の結果、登録者の通行を許可する旨の判定（判定ＯＫ）を行った場合には（ＳＴ１２、Ｙ）、ドア制御回路６３を制御してドア機構５を駆動し、改札通路を開放する（ＳＴ１４）。そして、ＣＰＵ６０は、ステップＳＴ１１において券媒体から登録済情報を読み取った場合には、当該駅において改札機１００を利用したことに基づく利用情報を作成する。このとき、作成する利用情報は、当該改札処理を行った改札駅情報及び改札時刻情報を含んでいる。つまり、Ａ駅において入場処理を行った場合には、改札駅がＡ駅であり、また、その改札時刻に対応する情報が利用情報に含まれる。また、Ｂ駅において出場処理を行った場合には、改札駅がＢ駅であり、また、その改札時刻に対応する情報が利用情報に含まれる。そして、ＣＰＵ６０は、駅務機器制御装置を介してユーザＩＤとともに作成した利用情報をセンターサーバ１０に送信する。
【００４９】
センターサーバ１０は、改札機１００から送信されたユーザＩＤに基づき、登録者情報データベースＤＢ１を検索し、該当する登録者の有無を確認する（ＳＴ１５）。そして、センターサーバ１０では、該当する登録者が存在することを確認したうえで、入出場管理データベースＤＢ２を検索し、該当する登録者の利用情報を書き込む（ＳＴ１６）。
【００５０】
このとき、入出場管理データベースＤＢ２において、Ａ駅から入場した利用者については、そのユーザＩＤに対応する登録者に関連付けて入場情報（入場駅情報、改札日時情報、改札時刻情報など）が記憶される。また、入出場管理データベースＤＢ２において、Ｂ駅から出場した利用者については、そのユーザＩＤに対応する登録者に関連付けて出場情報（出場駅情報、改札日時情報、改札時刻情報など）が記憶される。
【００５１】
そして、センターサーバ１０は、情報通知システム１２を利用して、登録者情報データベースＤＢ１からユーザＩＤに対応する登録者の連絡先アドレスを読み出し、この連絡先アドレスに登録者の利用情報を通知する（ＳＴ１７）。センターサーバ１０は、連絡先アドレスに利用情報を通知した後、駅務機器制御装置を経由して登録者の改札処理を行った対応する改札機１００に対して利用情報を通知済みである旨の通知済情報を送信する。
【００５２】
そして、改札機１００のＣＰＵ６０は、センターサーバ１０から通知済情報を受信したのに基づき、表示制御回路６２を制御して表示部４に「連絡先アドレスに利用情報を通知済である」旨のメッセージを表示するとともに、音声出力制御回路６６を制御してスピーカ８０から「連絡先アドレスに利用情報を通知済である」旨の音声を出力する（ＳＴ１８）。
【００５３】
このような第１改札処理により、予め登録された利用者（登録者）が改札機を利用するたびに、登録者の利用情報が予め登録された連絡先アドレスに通知されるため、登録者の所在を明確に判断することが可能となる。また、改札機に装備した表示部やスピーカを利用して利用情報が予め登録された連絡先アドレスに通知されたことを登録者に案内するため、登録者にとって利用情報の通知が確実に行われていることを確認することができる。
【００５４】
次に、利用情報を通知する第２改札方法について説明する。ここでは、登録済情報を有するとともに定期区間情報を含む改札情報を有する券媒体を登録者が利用する場合を例に説明する。なお、この第２改札方法では、図６に示したＡ駅−Ｂ駅間が定期区間であるものとする。
【００５５】
この第２改札方法は、予め登録された出場駅（ここではＢ駅）への到着予定時刻情報を含む利用情報を予め登録された連絡先アドレスに通知するものである。また、到着予定時刻を通知する出場駅については、予め登録するのではなく、例えば、午前はＡ駅、午後はＢ駅としてもよい。さらに、ここでは、登録者がＡ駅から入場する場合について説明するが、定期区間のみならず定期区間外の駅から入場した場合であってもこの第２改札方法を適用可能である。
【００５６】
すなわち、図８に示すように、Ａ駅に設置された改札機１００のＣＰＵ６０は、券媒体から改札処理に必要な改札情報を読み取るとともに、ユーザＩＤや登録済情報が含まれている場合にはこれらの情報も読み取る（ＳＴ２１）。そして、ＣＰＵ６０は、読み取られた改札情報に基づいて登録者の改札処理を行う（ＳＴ２２）。ＣＰＵ６０は、判定ＮＧと判定した場合には（ＳＴ２２、Ｎ）、ドア機構５を駆動して改札通路を閉鎖する（ＳＴ２３）。
【００５７】
一方、ＣＰＵ６０は、判定ＯＫと判定した場合には（ＳＴ２２、Ｙ）、ドア機構５を駆動して改札通路を開放する（ＳＴ２４）。そして、ＣＰＵ６０は、ステップＳＴ１１において券媒体から登録済情報を読み取った場合には、定期区間情報を含む改札情報、改札駅（Ａ駅）情報及び改札時刻情報を含む情報を、駅務機器制御装置を介してユーザＩＤとともにセンターサーバ１０に送信する。
【００５８】
センターサーバ１０は、改札機１００から送信されたユーザＩＤに基づき、登録者情報データベースＤＢ１を検索し、該当する登録者の有無を確認する（ＳＴ２５）。そして、センターサーバ１０では、該当する登録者が存在することを確認したうえで、改札機１００から送信された改札駅情報、定期区間情報、改札時刻情報などから到着時間検索データベースＤＢ４を検索するとともに運行状況管理データベースＤＢ３を検索し、Ａ駅からの登録者の乗車予想列車、当該列車の発車時刻、定期区間内の出場駅（ここでは予め登録されたＢ駅）までの最短到着時間などに基づき、定期区間内の出場駅（Ｂ駅）への到着予定時刻を導出する（ＳＴ２６）。そして、到着時間検索データベースＤＢ４は、導出した到着予定時刻をユーザＩＤに関連付けて記憶する（ＳＴ２７）。
【００５９】
そして、センターサーバ１０は、情報通知システム１２を利用して、登録者情報データベースＤＢ１からユーザＩＤに対応する登録者の連絡先アドレスを読み出し、この連絡先アドレスに登録者の利用情報、つまり、Ｂ駅への到着予定時刻を含む情報を通知する（ＳＴ２７）。センターサーバ１０は、連絡先アドレスに利用情報を通知した後、駅務機器制御装置を経由して登録者の改札処理を行った対応する改札機１００に対して利用情報を通知済みである旨の通知済情報を送信する。
【００６０】
そして、改札機１００のＣＰＵ６０は、センターサーバ１０から通知済情報を受信したのに基づき、表示制御回路６２を制御して表示部４に「連絡先アドレスに利用情報を通知済である」旨のメッセージを表示するとともに、音声出力制御回路６６を制御してスピーカ８０から「連絡先アドレスに利用情報を通知済である」旨の音声を出力する（ＳＴ２８）。
【００６１】
このような第２改札処理により、予め登録された利用者（登録者）が改札機を利用して入場した際に、登録者の出場駅への到着予定時刻を含む利用情報が予め登録された連絡先アドレスに通知されるため、駅に迎えに行く時間の連絡を取り合う必要がなくなるなど、利用者に対するサービス性が改善される。なお、この第２改札処理は単独で行ってもよいが、上述した第１改札処理と組み合わせて行ってもよい。
【００６２】
また、図６に示したようなシチュエーションにおいては、登録済情報を有するとともに定期区間情報を含む改札情報を有する券媒体を登録者が利用する場合について、第２改札方法の変形例として、以下のような改札方法を適用してもよい。
【００６３】
すなわち、Ａ駅に設置された改札機１００において、ＣＰＵ６０が券媒体の改札情報に基づいてＡ駅への入場を許可するか否かを判定する。ＣＰＵ６０が許可すると判定した場合には、上述した第２改札方法で説明したように、予め登録された出場駅（例えばＢ駅）への到着予定時刻を導出する。そして、導出された到着予定時刻を到着時間検索データベースＤＢ４に記憶する。
【００６４】
このように、Ｂ駅への到着予定時刻情報が記憶された場合、センターサーバ１０においては、出場判断システム１３を利用して、Ｂ駅に設置された改札機１００における同一ユーザＩＤを有する券媒体の改札処理を監視する。すなわち、出場判断システム１３において、到着予定時刻から所定時間内にＢ駅での該当ユーザＩＤを有する券媒体の改札処理が行われたか否かが判断される。この出場判断システム１３において、所定時間内にＢ駅での改札処理が行われなかった場合には、情報通知システム１２に対して対応するユーザＩＤの連絡先アドレスに警告を含む情報を通知するような指示を出力する。
【００６５】
情報通知システム１２においては、出場判断システム１３から上述したような出力を受信すると、該当する連絡先アドレスに対して警告を含む情報を通知する。
【００６６】
このような改札処理を行うことにより、より登録者の所在を明確に判断することが可能となる。この変形例は単独で行ってもよいし、上述した第２改札処理さらには第１改札処理と組み合わせて行ってもよい。
【００６７】
また、上述したような改札方法により、連絡先アドレスに利用情報（改札駅情報、改札時刻情報、到着予想時刻情報、警告情報など）を通知するように構成したが、受信者側の何らかの理由で受信できなかったり、受信端末を利用できなかったりして、利用情報を取得できない場合が考えられる。
【００６８】
このような場合には、先に説明したように、センターサーバ１０の情報検索システム１４を利用して、受信者（つまり、予め登録された連絡先アドレスを所有するユーザ）から利用情報を検索することが可能である。すなわち、情報検索システム１４が提供する検索用ホームページにて、ユーザＩＤやパスワードなどの識別情報を含む必要な情報の入力を受け付ける。これにより、情報検索システム１４は、入力されたこれらの識別情報に基づいて、入出場管理データベースＤＢ２や到着時間検索データベースＤＢ４などから該当する登録者の利用情報を検索し、出力する。これにより、所望のタイミングで受信者が所望の利用情報を取得することが可能である。
【００６９】
このように、昨今、子供の誘拐事件等が発生し社会問題となっている。また、子供にＧＰＳ機能を有した携帯電話等の移動通信手段を携帯させ、常に連絡が取れるようにしたいが、携帯電話等も高価であるため、全員に持たせることができないし、このような移動通信手段を携帯させていても、自動的に所在を連絡することができない。また、駅舎によっては電波が入りづらく連絡が取れないときがあるし、列車等を利用している場合には、携帯電話等は使用しないため、連絡を取ることは不可能である。さらに、駅に迎えに行く必要があるときは、到着時間が不明確であり、不便である。
【００７０】
このような不具合、要望に対応すべく、子供を利用者として予め登録し、連絡先アドレスを親や学校側で管理することにより、子供の通学が安全に行われているか確認することが可能となる。
【００７１】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００７２】
例えば、上述した種々の改札方法は、単独で行ってもよいし、複数の改札方法やその変形例を組み合わせて種々の情報を含む利用情報を提供可能としてもよい。
【図面の簡単な説明】
【００７３】
【図１】図１は、この発明の一実施の形態に係る改札システムの構成を概略的に示す図である。
【図２】図２は、図１に示した登録者情報データベースの構成例を説明するための図である。
【図３】図３は、図１に示した入出場管理データベースの構成例を説明するための図である。
【図４】図４は、この発明の一実施の形態に係る改札機の外観を概略的に示す斜視図である。
【図５】図５は、図２に示した改札機の制御系の構成を概略的に示すブロック図である。
【図６】図６は、図１に示した改札システムに適用可能な改札方法を説明するための図である。
【図７】図７は、図１に示した改札システムに適用可能な第１改札方法を説明するためのフローチャートである。
【図８】図８は、図１に示した改札システムに適用可能な第２改札方法を説明するためのフローチャートである。
【符号の説明】
【００７４】
１０…センターサーバ  １２…情報通知システム  １３…出場判断システム  １４…情報検索システム  ＤＢ１…登録者情報データベース  ＤＢ２…入出場管理データベース  ＤＢ３…運行状況管理データベース  ＤＢ４…到着時間検索データベース
１…筐体  ４…表示部  ５…ドア機構  ６０…ＣＰＵ  ６１…メモリ部  ６２…表示制御回路  ６３…ドア制御回路  ６６…音声出力制御回路  ６７…磁気処理ユニット  １００…改札機  １１０…無線通信処理ユニット
【図１】
2008071292.tif 000003
【図２】
2008071292.tif 000004
【図３】
2008071292.tif 000005
【図４】
2008071292.tif 000006
【図５】
2008071292.tif 000007
【図６】
2008071292.tif 000008
【図７】
2008071292.tif 000009
【図８】
2008071292.tif 000010